(57)【要約】【課題】アナログ・デジタルを容易に切り替えうるユーザインターフェイスを備える。【解決手段】切替部５は、デジタル放送デコーダ２及びアナログ放送信号処理部４によって出力されたアナログ及びデジタルの映像／音声信号を切り替えていずれかを出力させる。デジタル・アナログサイマルチャンネル対応情報記録部１１は、デジタル放送チャンネルに対応して決定されるアナログ放送のサイマルキャストチャンネル情報を記憶する。現在視聴チャンネル情報記録部１２は、現在視聴中のチャンネル情報を保持する。リモコン９のボタンが操作された際、制御部６は、現在視聴チャンネル情報記録部１２に保持されている現在のチャンネル情報と、デジタル・アナログサイマルチャンネル対応情報記録部１１に記録されているサイマルキャストチャンネル対応情報とに基づいて、切替部５を制御してデジタル放送チャンネルとアナログ放送チャンネルとを切り替えて出力させる。【選択図】        図１
2004200748.tif 000002
【特許請求の範囲】
【請求項１】
デジタル放送信号及びアナログ放送信号を受信して復調し、アナログ及びデジタルの映像／音声信号を出力する受信復調手段と、該受信復調手段から出力されたデジタル及びアナログの映像／音声信号を選択的に切り替えて、いずれかの映像／音声信号を出力する切替手段と、デジタル放送チャンネルに対応して決定されるアナログ放送のサイマルキャストチャンネル情報を記憶するデジタル／アナログサイマルチャンネル対応情報記録手段と、現在視聴中のチャンネル情報を保持する現在視聴チャンネル情報保持手段と、前記各手段を制御する制御手段とを有し、前記操作入力手段の操作部が操作された際、前記制御手段は、前記現在視聴チャンネル情報保持手段に保持されている現在のチャンネル情報と、前記デジタル／アナログサイマルチャンネル対応情報記録手段に記録されているサイマルキャストチャンネル対応情報とに基づいて、デジタル放送チャンネルとアナログ放送チャンネルとを切替可能としたことを特徴とするデジタル放送受信装置。
【請求項２】
請求項１に記載のデジタル放送受信装置において、該デジタル放送受信装置は、各チャンネル毎に、アナログ放送またはデジタル放送のいずれを出力するかを予め設定するユーザ設定情報記録手段を有し、前記制御手段は、前記操作入力手段の操作部が操作された際、前記現在視聴チャンネル情報保持手段に保持されている現在のチャンネル情報に基づいて、現在視聴されているチャンネルと前記操作によって選択されたチャンネルとが同一であるか判別し、同一である場合は、前記デジタル／アナログサイマルチャンネル対応情報記録手段に記録されているサイマルキャストチャンネル対応情報に基づいて、現在視聴されているチャンネルに対応するサイマルキャストチャンネルに切り替えるように前記受信復調手段と前記切替手段を制御し、現在視聴されているチャンネルと前記操作によって選択されたチャンネルとが同一でない場合、前記ユーザ設定情報記録手段を参照して、選択されたチャンネルに設定されているデジタルまたはアナログの放送チャンネルに切り替えるように、前記受信復調手段及び前記切替手段を制御することを特徴とするデジタル放送受信装置。
【請求項３】
請求項１または２に記載のデジタル放送受信装置において、該デジタル放送受信装置は、前記ユーザ設定情報記録手段の設定情報を変更するための画面情報を生成する画像生成手段を有し、前記操作入力手段は、前記ユーザ設定情報記録手段の設定情報を変更するための設定変更用操作部を有し、前記制御手段は、前記設定変更用操作部が操作された際に、前記画像生成手段によって前記画面情報を表示させ、該画面情報に対応した操作入力に従って前記ユーザ設定情報記録手段の記録情報を変更することを特徴とするデジタル放送受信装置。
【発明の詳細な説明】
【０００１】
【発明の属する技術分野】
本発明は、デジタル放送受信装置、より詳細には、アナログ放送を受信可能で、アナログ放送とデジタル放送を切り替えて表示可能なデジタル放送受信装置に関する。
【０００２】
【従来の技術】
日本では、地上波デジタル放送は２００３年末試験放送が開始され、２０１１年の地上波アナログ放送の終了までデジタル・アナログ両方の電波が共存し、デジタルとアナログで同一の内容を放送するサイマルキャスト方式が実施されることが提案されている。デジタル放送はその電波の受信状態が劣化すると、急激に受信不能になってしまう崖効果と言われる現象が発生する。デジタル放送が受信不能となった場合、デジタルとアナログがサイマル放送であることを利用し自動的にアナログ放送を受信することで放送番組の中断を極力避ける手段が提案されている（例えば、特許文献１）。
【０００３】
【特許文献１】
特開２００１−２１７７３５号公報
【０００４】
【発明が解決しようとする課題】
２００３年末試験放送は一部首都圏のみで実施されるもであり、地上波デジタル放送開始後、受信可能地域は徐々に増加すると考えられるが、デジタル放送を受信できる環境が全国で整備されるまでには時間がかかると考えられる。この為過渡期にはアナログ放送も受信できるデジタル・アナログ放送受信機の需要が見込まれる。
【０００５】
また地上波デジタル放送が、完全な形での地上波アナログ放送のサイマルキャストで実施される保証はなく、デジタル・アナログで一部独自のコンテンツを流す可能性がある。
【０００６】
上記の理由から地上波デジタル・アナログ放送受信装機は、デジタル放送の難視聴時に緊急回避的にアナログ放送を視聴する手段を有するのみならず、ユーザによる平易なデジタル・アナログの受信切り替え手段をもつことが望ましい。
【０００７】
デジタル・アナログ放送受信機における選局方法としては、アナログ放送内でのチャンネル選局のほかにデジタル放送チャンネルの選局が加わり、単純にデジタル・アナログ双方のチャンネルをボタンにダイレクトに割り振ってボタンにより選局させる方法や、またはアップダウンにより選局させる方法では、リモコン操作に必要なキーや希望するチャンネルにたどり着く為の操作回数が増え、操作が煩雑になりユーザの利便を図ることができない。
【０００８】
本発明は、上述のごとき実情に鑑みてなされたもので、アナログ・デジタル放送受信機視聴時、ユーザが容易にアナログ・デジタルを切り替えうるユーザインターフェイスを備えたデジタル情報受信装置を提供することを目的とするものである。
【０００９】
【課題を解決するための手段】
本発明の第１の技術手段は、デジタル放送信号及びアナログ放送信号を受信して復調し、アナログ及びデジタルの映像／音声信号を出力する受信復調手段と、その受信復調手段から出力されたデジタル及びアナログの映像／音声信号を選択的に切り替えて、いずれかの映像／音声信号を出力する切替手段と、デジタル放送チャンネルに対応して決定されるアナログ放送のサイマルキャストチャンネル情報を記憶するデジタル／アナログサイマルチャンネル対応情報記録手段と、現在視聴中のチャンネル情報を保持する現在視聴チャンネル情報保持手段と、前記各手段を制御する制御手段とを有し、操作入力手段の操作部が操作された際、制御手段は、現在視聴チャンネル情報保持手段に保持されている現在のチャンネル情報と、デジタル／アナログサイマルチャンネル対応情報記録手段に記録されているサイマルキャストチャンネル対応情報とに基づいて、デジタル放送チャンネルとアナログ放送チャンネルとを切替可能としたことを特徴とする。
【００１０】
本発明の第２の技術手段は、第１の技術手段において、デジタル放送受信装置が、各チャンネル毎に、アナログ放送またはデジタル放送のいずれを出力するかを予め設定するユーザ設定情報記録手段を有し、制御手段は、操作入力手段の操作部が操作された際、現在視聴チャンネル情報保持手段に保持されている現在のチャンネル情報に基づいて、現在視聴されているチャンネルと前記操作によって選択されたチャンネルとが同一であるか判別し、同一である場合は、デジタル／アナログサイマルチャンネル対応情報記録手段に記録されているサイマルキャストチャンネル対応情報に基づいて、現在視聴されているチャンネルに対応するサイマルキャストチャンネルに切り替えるように受信復調手段と切替手段を制御し、現在視聴されているチャンネルと前記操作によって選択されたチャンネルとが同一でない場合、ユーザ設定情報記録手段を参照して、選択されたチャンネルに設定されているデジタルまたはアナログの放送チャンネルに切り替えるように、受信復調手段及び切替手段を制御することを特徴とする。
【００１１】
本発明の第３の技術手段は、第１または第２の技術手段において、デジタル放送受信装置が、ユーザ設定情報記録手段の設定情報を変更するための画面情報を生成する画像生成手段を有し、操作入力手段は、ユーザ設定情報記録手段の設定情報を変更するための設定変更用操作部を有し、制御手段は、設定変更用操作部が操作された際に、画像生成手段によって画面情報を表示させ、その画面情報に対応した操作入力に従ってユーザ設定情報記録手段の記録情報を変更することを特徴とする。
【００１２】
【発明の実施の形態】
本発明にかかるデジタル放送受信装置の実施形態の一例を図１に示す。デジタル放送チューナ１は、デジタル放送アンテナよりデジタル放送信号を受けとって同調により任意の周波数信号を取り出す。デジタル放送デコーダ２は、デジタル放送チューナ１で取り出された任意の周波数信号に対してデジタル復調を行い、映像・音声信号を分離、デコードして出力する。
【００１３】
アナログ放送チューナ３は、アナログ放送アンテナよりアナログ放送信号を受けとって同調により任意の周波数信号を取り出す。アナログ放送信号処理部４は、アナログ放送チューナ３で取り出された任意の周波数信号に対してアナログ処理を行い、映像音声出力として出力する。すなわち、上記デジタル放送チューナ１，デジタル放送デコーダ２，アナログ放送チューナ３，及びアナログ放送信号処理部４によって、デジタル／アナログ放送信号を受信して復調し、アナログ及びデジタルの映像／音声信号を出力する受信復調手段が構成される。
【００１４】
切替部５は、デジタル放送デコーダ２、アナログ放送信号処理部４において復調される映像・音声信号を制御部６の指示に従って切り替えて出力する切替手段である。制御部６は、各種制御を行う制御手段であり、例えば、制御用ＣＰＵが用いられる。
【００１５】
ＯＳＤ画像生成部７は、チャンネル毎のデジタル・アナログ設定をユーザが行う為の画面情報を生成して出力する画像生成手段である。
【００１６】
リモコン９は、選局をダイレクトに行うことができるチャンネルボタン等の操作部を有する操作入力手段で、受光部８は、リモコン９からのチャンネル番号情報等の信号を変換し、制御部６に送る。またリモコン９には、ユーザ設定情報を変更するための設定変更用操作部が備えられている。
【００１７】
ユーザ設定情報記録部１０は、デジタル・アナログ放送受信のいずれを出力するかについてユーザにより選択された情報すなわちデジタル・アナログデフォルト設定をチャンネル毎に記憶する。また、デジタル・アナログサイマルチャンネル対応情報記録部１１は、サイマルキャストの関係にあるデジタル放送チャンネル及びアナログ放送チャンネルの情報テーブルを保持し、放送局番号と設定周波数が保持される。また、現在視聴チャンネル情報記録部１２は、現在画面に出力されている放送のチャンネルの番号情報と、アナログ放送またはデジタル放送のいずれかであることを示す放送局番号情報とを保持する。
【００１８】
図２は、デジタル・アナログサイマルチャンネル対応情報記録部１１に記録される情報テーブルの一例を示す図である。図２に示すように、情報テーブルには、チャンネルボタン番号毎に、デジタル放送チャンネルとアナログ放送チャンネルとが対応付けられ、設定周波数等の情報が保持される。
【００１９】
図３は、本発明にかかるデジタル放送受信装置の動作手順を示すフローチャートである。まず、ユーザはリモコン９を操作することにより、サイマル放送に関する選局設定もしくは、視聴するチャンネルの選局を行う（ステップＳ１）。制御部６は、リモコン９に入力された操作が、選局操作または設定操作かどうかを判別する（ステップＳ２）。
【００２０】
ステップＳ２で設定操作であると判別された場合、制御部６は、ＯＳＤ画像生成部７を制御し、サイマル放送チャンネル視聴設定画面を生成して画面に出力させる（ステップＳ３）。図４は、サイマル放送チャンネルの視聴設定画面の一例を示す図である。ここでは、デフォルトのチャンネル設定をアナログ及びデジタルから選択できる。例えば、図４に示す画面例では、デフォルトの６チャンネルに関し、“サイマル放送を行っているアナログ６チャンネルに変更”、“別のデジタル放送チャンネルを割り当てる”、“全チャンネルボタンをデジタル放送チャンネルに設定”、“全チャンネルボタンをアナログ放送チャンネルに設定”等の表示がなされ、ユーザは随時これらの選択項目に従ってデフォルトの変更設定を行うことができる。
【００２１】
図３に戻って説明する。ステップＳ２でチャンネル視聴設定画面が表示されると、ユーザは、リモコン９を操作して、設定のために要求された項目を選択し、決定する（ステップＳ４）。そして制御部６は、ユーザにより決定された情報をユーザ設定情報記録部１０に保存する（ステップＳ５）。
【００２２】
上記ステップＳ２において、選局操作の指示である場合、ユーザは、リモコン９のチャンネルボタンを操作して、チャンネルＡの選局を要求する操作を行い（ステップＳ６）、ユーザが指示したチャンネルボタン情報は、受光部８より制御部６に送られる。
【００２３】
制御部６は、デジタル・アナログサイマルチャンネル対応情報記録部１１及び現在視聴チャンネル情報記録部１２にアクセスし、現在視聴チャンネル情報記録部１２から現在視聴されているチャンネルの情報を引き出すとともに、ユーザが指示したチャンネルボタン情報から、受信すべきデジタル放送局番号とそのサイマル放送を行うアナログ放送局番号の候補とをデジタル・アナログサイマルチャンネル対応情報記録部１１から引き出す（ステップＳ７）。
【００２４】
次いで制御部６は、現在視聴されているチャンネルとユーザの指示したチャンネルボタン情報を比較し（ステップＳ８）、ユーザが指示したチャンネルボタン情報と現在視聴中のチャンネルのチャンネルボタン情報とが同一である場合、ユーザが別系統のサイマルチャンネル視聴を指示しているものと判定する（ステップＳ９）。
【００２５】
そして制御部６は、現在視聴チャンネル情報記録部１２より得られた情報から現在視聴しているチャンネルがデジタルであるかアナログであるか判定を行う（ステップＳ１０）。そして判定の結果現在視聴チャンネルがデジタルＡチャンネルであった場合、制御部６は、ユーザが現在視聴中のデジタル放送チャンネルからサイマル放送を行うアナログ放送チャンネルへの変更を指示しているものと判断し、判定した情報をもとにアナログ放送チューナ３に周波数設定を行ってアナログ放送信号処理部４を制御し、映像／音声信号を生成させ、さらに切替部５を制御してデジタルからアナログに切り替えてサイマル放送を行うアナログＡ’チャンネルの映像／音声信号の出力を行う（ステップＳ１１）。
【００２６】
また、上記ステップＳ１０における判定の結果、現在視聴チャンネルがアナログＡ’チャンネルであった場合、制御部６は、ユーザが現在視聴中のアナログ放送チャンネルからサイマル放送を行うデジタル放送チャンネルへの変更を指示しているものと判断し、判定した情報をもとにデジタル放送チューナ１に周波数設定を行い、デジタル放送デコーダ２を制御して、映像／音声信号を生成し、切替部５を制御してアナログからデジタルに切り替えてサイマル放送を行うデジタルＡチャンネルの映像／音声信号の出力を行う（ステップＳ１４）。
【００２７】
また、ステップＳ８の判定において、現在視聴中のチャンネルのチャンネルボタンとユーザの操作したボタンが異なる場合、制御部６は、デフォルト設定（ユーザが設定したデジタル・アナログ選局設定）に基づいた通常選局をユーザが指示しているものと判定し（ステップＳ１２）、さらにユーザ設定情報記録部１０に記録された情報にアクセスして、デジタル放送・アナログ放送のどちらを選局するかを判断する（ステップＳ１３）。
【００２８】
上記ステップＳ１３において、デジタル放送を選局することが判断されれば、制御部６は、ステップＳ７において入手した情報をもとにデジタル放送チューナ１に周波数設定を行い、デジタル放送デコーダ部２を制御し、映像／音声信号を生成させて、制御部５を制御してデジタルＡチャンネルの映像／音声信号の出力を行う（ステップＳ１４）。
【００２９】
また、上記ステップＳ１３でアナログ放送を選局することが判断されれば、ステップＳ７において入手した情報をもとにアナログ放送チューナ３に周波数設定を行い、アナログ放送信号処理部４を制御し、映像／音声信号を生成させて、切替部５を制御してアナログＡ’チャンネルの映像／音声信号の出力を行う（ステップＳ１１）。
【００３０】
【発明の効果】
以上の説明から明らかなように、本発明のデジタル放送受信装置によれば、ユーザは、従来のアナログ放送に慣れ親しんだチャンネル配置のリモコン等操作入力装置により、デジタル放送を選局することが可能となり、通常選局に用いるボタンを押すだけの簡便な操作でデジタル放送とアナログ放送とを切り替えることが可能となる。
【００３１】
さらに本発明によれば、デジタル／アナログのサイマル放送を視聴するユーザにとって、デジタルとアナログのどちらを優先的に選局するかを予め設定することが可能となり、常に適切な方式で放送を視聴することができる。
【図面の簡単な説明】
【図１】本発明にかかるデジタル放送受信装置の実施形態の一例を示す図である。
【図２】デジタル・アナログサイマルチャンネル対応情報記録部に記録される情報テーブルの一例を示す図である。
【図３】本発明にかかるデジタル放送受信装置の動作手順を示すフローチャートである。
【図４】サイマル放送チャンネルの視聴設定画面の一例を示す図である。
【符号の説明】
１…デジタル放送チューナ、２…デジタル放送デコーダ、３…アナログ放送チューナ、４…アナログ放送信号処理部、５…切替部、６…制御部、７…ＯＳＤ画像生成部、８…受光部、９…リモコン、１０…ユーザ設定情報記録部、１１…デジタル・アナログサイマルチャンネル対応情報記録部、１２…現在視聴チャンネル情報記録部。
【図１】
2004200748.tif 000003
【図２】
2004200748.tif 000004
【図３】
2004200748.tif 000005
【図４】
2004200748.tif 000006